(57)【要約】【課題】工場または作業場といった空気の汚れ濃度の大きい場所に使用される空気清浄装置において、空気清浄装置と空気調和装置を一体化したシステムは空気清浄または空気調和のどちらかで風量を設定する必要があり不経済であった。【解決手段】空気清浄装置１の下流に分岐部２を構成し、分岐部２の一方の下流に空気調和装置３を備える構成とし、空気清浄と空気調和に必要な風量を汚れ検出手段と温度検出手段より算出し、それぞれに分配する機能を持つ空気清浄システムとする。これにより空気清浄と空気調和に最適な風量で、空気浄化と空気清浄が同時に実施できる空気清浄システムを得られる。【選択図】図１
2008095982.tif 000002
【特許請求の範囲】
【請求項１】
空気を送風する送風手段と前記送風手段により送風される風路を備え、前記風路は空気を清浄する空気清浄手段と前記空気清浄手段の下流に風路を分岐する分岐部と空気を調和する空気調和手段を備え、前記分岐部の一方は前記空気調和手段を通り吐出口へ、他方は直接前記吐出口へ接続され、このように構成された風路に前記送風手段により送風することで、空気清浄と空気調和を行う空気清浄システム。
【請求項２】
空気清浄手段により空気清浄を実施する気体の温度を検出する温度検出手段と空気の汚れ具合を検出する汚れ検出手段を備え、前記温度検出手段から前記空気調和手段の風量を、また前記汚れ検出手段から前記空気清浄手段に必要な風量を算出し、送風手段により必要風量を送風する制御をおこなうための制御手段を備えた請求項１に記載の空気清浄システム。
【請求項３】
分岐部には風量を分配調整できる分配調整手段を備え、温度検出手段と汚れ検出手段により空気調和手段へ流入する風量を前記分配調整手段により制御する制御手段を備えた請求項１または２に記載の空気清浄システム。
【請求項４】
空気清浄手段に空気清浄手段を洗浄する洗浄手段を備えた請求項１〜３のいずれかに記載の空気清浄システム。
【請求項５】
洗浄手段は洗浄時に空気清浄手段を閉塞し洗浄するための風路開閉手段を備えた請求項  ４に記載の空気清浄システム。
【請求項６】
空気清浄手段を介さずに直接空気調和手段に空気を送るバイパス風路を備え、前記バイパス風路を開閉する開閉手段を備え、必要なときに風路を開閉する制御手段を備えた請求項５に記載の空気清浄システム。
【請求項７】
空気清浄手段は極板間に高電圧を印加し汚れ成分を帯電し捕集する電機集塵機を用いた請求項６に記載の空気清浄システム。
【請求項８】
空気調和手段は水または冷媒を用いた熱交換装置である請求項７に記載の空気清浄システム。
【請求項９】
洗浄手段は水、もしくは洗浄水をノズルにより噴霧する洗浄装置を備えた請求項４〜８のいずれかに記載の空気清浄システム。
【請求項１０】
電気集塵機により捕集された汚れ物質を回収し貯留できる貯留手段を備えた請求項１〜９のいずれかに記載の空気清浄システム。
【請求項１１】
空気清浄手段の上流にホッパまたはプレフィルターを備えた請求項１０に記載の空気清浄システム。
【請求項１２】
空気調和手段の直前の上流に空気清浄用のフィルターを備えた請求項１１に記載の空気清浄システム。
【請求項１３】
空気調和手段の直前の上流と直後の下流に空気圧力検出手段を設けた請求項１２に記載の空気清浄システム。
【請求項１４】
ノズルによる洗浄装置において洗浄後の水または洗浄水を排水できる配管と排水配管の流路を開閉する開閉手段を備えた請求項４〜１３のいずれかに記載の空気浄化システム。
【請求項１５】
空気清浄手段はその洗浄に前記熱交換装置の冷媒として使用する温水を利用する配管と流路を開閉する開閉手段を備えた請求項４〜１４のいずれかに記載の空気清浄システム。
【発明の詳細な説明】
【技術分野】
【０００１】
本発明は、工場等の作業環境改善のために使用される空気清浄システムに関する。
【背景技術】
【０００２】
従来、この種の空気清浄システムは、空気清浄装置単独で製造されるものがほとんどであり、空調用エアコンや空気清浄装置の一部に空気清浄装置に空気調和装置を付加されたものが知られている（例えば、特許文献１参照）。
【０００３】
図４に示すように、空気清浄装置は空気清浄装置１０１と空気調和装置１０２と送風機１０３からなり、これらをケーシング１０４にて一体に成形することで、空気清浄装置により清浄化された空気を送風機１０３により排出する際に空気調和装置を通過することで、空気清浄と空気調和を同時に実施している。
【０００４】
また、スポットクーラに空気清浄装置を組み込んだものが知られている。（特許文献２参照）以下、前記スポットクーラについて説明する。空気清浄装置の下流に空気調和装置を備え、その下流に送風機を備えたスポットクーラで空気清浄と空気調和を同時に一台にて実施している。
【特許文献１】特開平１１−２１１１２７号公報
【特許文献２】実開昭６１−０４９２２７号公報
【発明の開示】
【発明が解決しようとする課題】
【０００５】
このような従来の空気清浄手段である空気清浄装置に空気調和手段である空気調和装置を組込む場合、主には空調用に使用され空気の汚れの少ない場所で使用される。このため送風手段である送風装置を共用するので、前記空気調和装置の風量により運転されることになる。このため前記空気清浄装置としては風量の変化に対応するため前記空気調和装置に必要な風量で運転する必要があり、空気清浄手段としてはその空気清浄能力に余裕のあるものとなる。空気の汚れに対して必要以上にに大きな空気清浄手段を用いる必要がある。
【０００６】
このため、空気の汚れの少ない場所では空気清浄手段の空気清浄能力に余裕を持たせることで使用することができた。このような理由から、前記空気清浄装置に前記空気調和装置を組込んで使用する場合、空気の汚れの多い場所での使用は難しいという課題がある。
【０００７】
また、工場のような汚れの多い大きな空間でを空気清浄するといった場合、その風量は空気調和手段である空気調和装置に必要な風量より大きく、空気清浄に必要な風量で空気調和手段を設計すると、空気調和手段を通過する風速を空気調和手段により決められた最大風速にあわせるため、その面積を大きくする必要があり、空気調和手段は必要能力に比べ過大な装置となり、大幅にコストが上昇するという課題がある。
【０００８】
このように、汚れの多い大きな空間においては、適正な設計の空気清浄手段にて適正な風量で空気清浄し、かつその空気清浄された空気を適正な設計の空気調和手段で適正な風量で空気調和することは困難であった。
【０００９】
また、空気清浄手段と空気調和手段が別々の装置として導入される場合、汚れた空気を空気調和手段に混入するのを防ぐため、空気調和手段の上流に空気清浄手段が必要になり非効率であるという課題がある。
【００１０】
また、汚れ成分が多い大きな空間を空気清浄する場合、空気清浄手段に汚れ成分が大量に付着し、清浄効率が低下するといった課題がある。
【００１１】
また、汚れの多い大きな空間を空気清浄する場合、換気により大気への放出も考えられるが、昨今の環境への配慮から大気へ汚れ成分を放出することは望ましくなく、室内循環で汚れ成分を除去する必要がある。その汚れにより装置が不具合を起こすことなく長期に渡って使用することのできる空気清浄システムが要求されている。
【００１２】
本発明は、このような従来の課題を解決するものであり、汚れの多い大きな空間において、適正な設計の空気清浄手段で適正な風量で空気清浄し、かつその空気清浄された空気を適正な設計の空気調和手段で適正な風量にて空気調和することで装置を簡易にし、汚れ成分の付着に対し性能を損ねることなく長期渡り使用することができる空気清浄システムを提供することを目的としている。
【課題を解決するための手段】
【００１３】
本発明の空気清浄システムは上記目的を達成するために、空気を送風する送風手段と前記送風手段により送風される風路を備え、前記風路は空気を清浄する空気清浄手段と前記空気清浄手段の下流に風路を分岐する分岐部と空気を調和する空気調和手段を備え、前記分岐部の一方は前記空気調和手段を通り吐出口へ、他方は直接前記吐出口へ接続され、このように構成された風路に前記送風手段により送風することで、空気清浄と空気調和を行うとしたものである。
【００１４】
この手段により空気清浄に必要な風量と空気調和に必要な風量を個々に送風することができ、前記空気清浄装置および前記空気調和装置の設計もそれぞれにおいて適性なものとすることができる空気清浄システムが得られる。
【００１５】
また、他の手段は、空気清浄手段により空気清浄を実施する気体の温度を検出する温度検出手段と空気の汚れ具合を検出する汚れ検出手段を備え、前期温度検出手段から空気調和手段の風量を、また前記汚れ検出手段から前記空気清浄手段に必要な風量を算出し、送風手段により必要風量を送風する制御手段を備えるとしたものである。
【００１６】
これにより、空気清浄および空気調和に必要な送風手段を共用化でき、空気清浄および空気調和に必要な風量を個々に送風することができる空気清浄システムが得られる。
【００１７】
また、他の手段は、分岐部には風量を分配調整できる分配調整手段を備え、温度検出手段と汚れ検出手段により空気調和手段へ流入する風量を前記分配調整手段により制御できる制御手段を備えるとしたものである。
【００１８】
これにより、空気清浄および空気調和に必要な送風手段を共用化でき、空気清浄および空気調和に必要な風量を個々に送風することができる空気清浄システムが得られる。
【００１９】
また、他の手段は、空気清浄手段に洗浄手段を備えるとしたものである。
【００２０】
これにより、前記空気清浄手段にて汚れ成分を捕集する際に前記空気清浄手段に汚れ成分が付着しその空気清浄性能を損ねることがあるが、洗浄手段により汚れ成分を除去することで、装置が不具合を起こすことなく長期に渡って使用することのできる空気清浄システムが得られる。
【００２１】
また、他の手段は、洗浄手段は洗浄時に空気清浄手段を閉塞し洗浄するための風路開閉手段を備えるとしたものである。
【００２２】
これにより、前記洗浄手段により洗浄作業を実施する場合に、多量の水または洗剤を噴霧し洗浄を実施するためにその排水が空気調和装置に混入したり、吐出口より室内へ排出されることを防止することができる空気清浄システムが得られる。
【００２３】
また、他の手段は、前記空気清浄手段を介さずに直接空気調和手段に空気を送るバイパス風路を備え、前記バイパス風路を開閉する開閉手段を備え、必要なときに風路を開閉する制御手段を備えるとしたものである。
【００２４】
これにより、空気清浄手段を洗浄時に風路を閉塞するため、空気調和を実施できなくなるが、バイパス風路を備えることで空気清浄手段の洗浄時にも空気調和を実施できる空気清浄システムを得られる。
【００２５】
また、他の手段は、空気清浄手段は極板間に高電圧を印加し汚れ成分を帯電し捕集する電機集塵機を用いたものである。
【００２６】
これにより、空気清浄手段としてフィルタもしくは遠心分離方式があるがフィルタ方式は目詰まりの問題がありメンテナンスが必要である。遠心分離法式は風量の変化により捕集効率が変わってしまう。電気集塵機は風量の変化に対し極板の電圧を変化させることで最適な集塵効率を維持することが可能である。また、汚れ成分の付着により捕集効率が下がることが無いように洗浄により再生を実施することができ、長期に渡り使用することのできる空気清浄システムを得られる。
【００２７】
また、他の手段は、空気調和手段は水または冷媒を用いた熱交換装置としたものである。
【００２８】
これにより、空気清浄を実施すると同時に冷房暖房といった空気調和を実施でき、既存の空気調和手段を利用することが可能となる。
【００２９】
また、他の手段は、洗浄手段は水、もしくは洗浄水をノズルにより噴霧する洗浄装置を備えたものである。
【００３０】
これにより、オイルミストまたは粉塵といった電気集塵機に付着する汚れ成分を洗浄し、付着により低下した集塵性能を再生できる。これにより長期に渡り使用することのできる空気清浄システムを得られる。
【００３１】
また、他の手段は、前記電気集塵機により捕集された汚れ物質を回収し貯留できる貯留手段を備えたものとする。
【００３２】
これにより、空気清浄手段により捕集した汚れ成分を回収貯留することで、大気へ放出することなく工場の空気清浄を実施することのできる空気清浄システムが得られる。
【００３３】
また、他の手段は、空気清浄手段の上流にホッパまたはプレフィルターを備えたものとする。
【００３４】
これにより、空気清浄手段の上流に備えることで大量の汚れ成分の流入を防ぐことができ、前記空気清浄手段を長期に渡り使用することのできる空気浄化システムが得られる。
【００３５】
また、他の手段は、空気調和手段の直前の上流に空気清浄用のフィルターを備えたものとする。
【００３６】
これにより、空気清浄手段の清浄時にバイパス風路により汚れた空気の空気調和手段への流入を防止することができる空気清浄システムが得られる。
【００３７】
また、他の手段は、空気調和手段の直前の空気清浄フィルタの上流と直後の下流に空気圧力検出手段を備えたものとする。
【００３８】
これにより、空気調和手段の直前の空気清浄フィルタの汚れの具合が検出できるだけでなく、上流の空気洗浄手段の不具合もしくは汚れ具合を判断することができる。
【００３９】
また、他の手段は、ノズルによる洗浄装置において洗浄後の水または洗浄水を排水できる配管と排水配管の流路を開閉する開閉手段を備えたものとする。
【００４０】
これにより、空気清浄手段を洗浄し、洗浄排水を機外に放出でき、長期に渡り使用できる空気清浄システムが得られる。
【００４１】
また、他の手段は、空気清浄手段はその洗浄に熱交換装置の冷媒として使用する温水を利用する配管と流路を開閉する開閉手段を備えたものとする。
【００４２】
これにより、洗浄水に温水を用いることができ洗浄効率を高めることができる空気清浄システムが得られる。
【発明の効果】
【００４３】
本発明によれば、工場のようにの大きな空間の汚れの多い大きな空間を空気清浄と空気調和をすることができ、それぞれが最適な容量にて設計でき、空気清浄した空気の一部を空気調和することで装置を簡易にすることのできるという効果のある空気清浄システムを提供できる。
【００４４】
また、空気清浄に必要な風量と空気調和に必要な風量を室内に備えた温度および汚れ検出手段から算出し、運転することができ、より効率的な運転ができる。
【００４５】
また、本発明の空気清浄システムは空気清浄手段において除去された汚れ成分が前記空気清浄手段に蓄積され、空気清浄能力を低下させることになるが、洗浄手段により洗浄され、空気清浄性能を再生することができる。これにより、連続して長期渡り使用することができるという効果がある。
【００４６】
また、洗浄時には風路を閉塞することで、洗浄水または洗浄剤を空気調和手段もしくは吐出口より室内に排出されることを防ぎ、洗浄中も室内よりバイパス風路により空気調和手段を停止することなく空気調和を実施できる。これにより連続して運転することが可能となる効果がある。
【００４７】
また、空気清浄された空気は屋外へ排出することなく室内での循環にて汚れ成分の除去分離ができる。これにより汚れ空気を屋外に排出しないという効果がある。
【００４８】
また、室内の大きな汚れ成分の変化にも対応することができ、空気調和手段の直前においた空気清浄フィルターや空気清浄手段の不具合も判断することができ、これらを制御する制御装置を備えることで長期にわたり使用することができるという効果のある空気洗浄システムを提供できる。
【発明を実施するための最良の形態】
【００４９】
本発明の請求項１記載の発明は、空気を送風する送風手段と前記送風手段により送風される風路を備え、前記風路は空気を清浄する空気清浄手段と前記空気清浄手段の下流に風路を分岐する分岐部と空気を調和する空気調和手段を備え、前記分岐部の一方は前記空気調和手段を通り吐出口へ、他方は直接前記吐出口へ接続され、このように構成された風路に前記送風手段により送風することで、空気清浄と空気調和を行うとしたものであり、空気清浄システムの送風の一部を空気調和することができるという作用を有し、このことにより空気清浄手段の風路の下流に空気調和手段の風路を構成し、空気調和手段の風量は適正な風量を送風するように設計でき、空気清浄手段と空気調和手段はそれぞれ最適な風量で運転することができるという作用を有する。
【００５０】
また、本発明の請求項２記載の発明は、空気清浄手段により空気清浄を実施する気体の温度を検出する温度検出手段と空気の汚れ具合を検出する汚れ検出手段を備え、前記温度検出手段から前記空気調和手段の風量を、また前記汚れ検出手段から前記空気清浄手段に必要な風量を算出し、送風手段により必要風量を送風する制御手段を備えたものであり、前記空気清浄手段と前記空気調和手段それぞれに必要な最適風量にて運転することができるという作用を有する。
【００５１】
また、本発明の請求項３記載の発明は、分岐部には風量を分配調整できる分配調整手段を備え、温度検出手段と汚れ検出手段により空気調和手段へ流入する風量を前記分配調整手段により制御できる制御手段を備えたものであり、送風手段を共有化できるという作用を有する。
【００５２】
また、本発明の請求項４記載の発明は、空気清浄手段に洗浄手段を備えたものであり、汚れ成分が付着し空気清浄機能が低下した空気清浄手段を再生することができるという作用を有する。
【００５３】
また、本発明の請求項５記載の発明は、洗浄手段は洗浄時に空気清浄手段を閉塞し洗浄するための風路開閉手段を備えたものであり、空気洗浄手段の洗浄時にその風路を閉塞し洗浄に必要な水分を外部に排出しないで洗浄を実施できるという作用を持つ。
【００５４】
また、本発明の請求項６記載の発明は、空気清浄手段を介さずに直接空気調和手段に空気を送るバイパス風路を備え、前記バイパス風路を開閉する開閉手段を備え、必要なときに風路を開閉する制御手段を備えたものであり、風路を閉塞して実施する空気清浄手段の洗浄実施時にも空気調和手段に送風することができ、空気調和が実施できるという作用を有する。
【００５５】
また、本発明の請求項７記載の発明は、空気清浄手段は極板間に高電圧を印加し汚れ成分を帯電し捕集する電機集塵機を用いたものであり、風量の変化に対して極板間の電圧を調整することで集塵効率を一定にすることができるという作用を有する。
【００５６】
また、本発明の請求項８記載の発明は、空気調和手段は水または冷媒を用いた熱交換装置であり、熱交換装置を組込んだ空気調和装置に本システムを応用することもでき、既存の設備を利用することもできるという作用を有する。
【００５７】
また、本発明の請求項９記載の発明は、洗浄手段は水、もしくは洗浄水をノズルにより噴霧する洗浄装置を備えたものであり、空気清浄手段である電気集塵機の極板を効率よく洗浄できるという作用を有する。
【００５８】
また、本発明の請求項１０記載の発明は、電気集塵機により捕集された汚れ物質を回収し貯留できる貯留手段を備えたものであり、汚れ成分を大気中に放出することなく運転できるという作用を有する。
【００５９】
また、本発明の請求項１１記載の発明は、空気清浄手段の上流にホッパまたはプレフィルターを備えたものであり、汚れ成分が多い場合、またはその濃度が濃い場合に空気清浄手段の上流に簡易の空気清浄装置を備え、空気清浄システムに流入する汚れ成分を軽減することができるという作用を有する。
【００６０】
また、本発明の請求項１２記載の発明は、空気調和手段の直前の上流に空気清浄用のフィルターを備えたものであり、空気清浄手段の洗浄時に空気調和手段に空気中の汚れ成分が混入するのを防ぐことができるという作用を有する。
【００６１】
また、本発明の請求項１３記載の発明は、空気調和手段の直前の上流と直後の下流に空気圧力検出手段を設けたものであり、空気調和手段の直前の空気清浄フィルタの汚れの具合が検出できるだけでなく、上流の空気洗浄手段の不具合もしくは汚れ具合を判断することができるという作用を有する。
【００６２】
また、本発明の請求項１４記載の発明は、ノズルによる洗浄装置において洗浄後の水または洗浄水を排水できる配管と排水配管の流路を開閉する開閉手段を備えたものであり、汚れ成分や洗浄水の廃棄物質を排出できるという作用を有する。
【００６３】
また、本発明の請求項１５記載の発明は、空気清浄手段はその洗浄に前記熱交換装置の冷媒として使用する温水を利用する配管と流路を開閉する開閉手段を備えたものであり、空気洗浄手段の洗浄を実施する際に温水を用いてより効率よく洗浄を実施することができるという作用を有する。
【００６４】
以下、本発明の実施の形態について図面を参照しながら説明する。
【００６５】
（実施の形態１）
図１は、本発明の実施の形態１における空気清浄システムである。図１に示すように、空気清浄手段である空気清浄装置１の下流に分岐部２を構成し、一方の風路７は下流に送風手段である送風装置５を備え吐出口９へ接続されている。もう一方の風路８は下流に空気調和手段である空気調和装置３を備え、空気調和装置３の下流に送風手段である送風装置６を備え、吐出口９へ接続されている。
【００６６】
空気清浄する室内には、温度検出手段である温度検出装置１０と汚れ検出手段である汚れ検出装置１１を備えている。温度検出装置１０は熱電対や測温抵抗体を使用した温度センサーが利用でき、汚れ検出装置１１は粉塵濃度計を利用することができる。
【００６７】
この構成により、吸込み口１９より吸引した汚れ成分を含んだ空気は空気清浄装置１を通過することで汚れ成分を空気清浄装置１に捕捉することで除去できる。空気清浄装置１を通過した空気は分岐部２により二つの風路に分けられる。一方は風路７を通り、送風装置５により送風され吐出口９へ排出される。もう一方は空気調和装置３を通過し空気調和され、空気調和された空気が風路８を通り送風装置６により送風され吐出口９へ排出される。
【００６８】
送風装置５および送風装置６は空気清浄する室内に備えられた汚れ検出装置１１および温度検出装置１０から制御装置１２にて必要風量が計算される。温度検出装置１０から算出された風量を送風装置６により、汚れ検出装置１１から算出された風量を送風装置５により送風する。このことにより空気清浄と空気調和のそれぞれの装置に必要な風量を送風することができる。
【００６９】
分岐部２には分配調整手段である分配調整装置４が備えられている。分配調整装置４は電動ダンパーを利用することができる。送風装置５および送風装置６による風量調整ができない場合、制御装置１２により算出された空気清浄および空気調和に必要な風量を分配調整装置４にて風量調整を実施することができる。
【００７０】
汚れ成分は空気清浄装置１が捕捉することで除去されるが、汚れ成分は空気清浄装置１に付着し溜まっていくことになる。空気清浄装置１として電気集塵機を利用した場合、極板に汚れ成分が付着していくことになる。このため前記電気集塵機の極板が汚れ成分で覆われると空気清浄能力が低下することになる。洗浄装置１３はこの前記電気集塵機の極板に付着した汚れ成分を分解し洗い落とすことで、前記電気集塵機の極板が再生し、空気清浄能力が回復する。
【００７１】
前記洗浄装置１３はノズルを備えたパイプとポンプ１５を備え、洗浄装置１３の上流と下流には洗浄装置１３を閉塞する閉塞手段である閉塞装置１４を備える。空気清浄装置１を洗浄する際には閉塞装置１４を閉じ、ポンプ１５を運転することで、洗浄装置１３に備えたノズルより水または洗浄剤を噴霧することで洗浄を実施する。洗浄に使用される水または洗浄剤は汚れ成分とともに、排水の貯留手段である貯留装置１６に貯留される。
【００７２】
また、空気清浄装置１の洗浄時には閉塞装置１４を閉じるため空気調和装置３に送風することができなくなり、室内の空気調和ができなくなる。このため空気調和する室内より直接空気調和装置３の上流に空気を取り込めるバイパス風路１７を備え、開閉手段である開閉装置１８を開くことで、室内の空気を空気調和装置３に送り込むことができる。これにより空気調和装置３は空気清浄装置１の洗浄時も空気調和の運転を止めることなく運転することができる。
【００７３】
室内の汚れた空気を直接空調調和装置３に送り込むため、汚れ成分が空気調和装置３に混入することになる。これを防止するため空気調和装置３の上流に空気清浄手段である空気清浄装置２０を備える。空気清浄装置２０はフィルター集塵装置でよい。
【００７４】
空気調和装置３の上流に備えた空気清浄装置２０の直前の上流および下流に空気の圧力を検出する圧力検出手段である圧力検出装置２３を備える。圧力検出装置２３は差圧計やマノスタメータを利用できる。圧力検出装置２３により空気調和装置３の上流と下流の圧力に差が発生している場合は空気清浄装置２０の汚れ成分付着によることが原因として考えられる。これは空気清浄装置１の洗浄時にバイパス風路１７により汚れた空気を吸引し空気清浄装置２０に付着し圧力損失が上昇したものと考えられる。
【００７５】
また、圧力検出装置２３の上流に備える空気清浄装置１の不具合により、汚れ空気が前記空気清浄装置１を通過するが空気清浄されずに分岐部２に流入し、空気調和装置３側に流れた空気の汚れ空気を空気清浄装置１にて除去するような空気清浄装置１の不具合が発生した場合、圧力検出装置２３の上流側と下流側の圧力損失が大きくなり空気清浄装置１の不具合を判断することができる。
【００７６】
空気調和装置３に備えた水または冷媒の配管より洗浄装置１３へ分岐の流路２１を構成する。流路２１の途中には流路の開閉手段となる開閉装置２２が備えられる構成となっている。開閉装置２２は電動バルブをりようすることができ、制御装置により開閉装置２２を制御することで、空気調和装置３が暖房運転で温水を使用するときに、洗浄装置１３に温水を供給できるようになる。このことにより洗浄装置１３は温水で洗浄を実施することができ、常温の水を使用するよりも洗浄性能を上げることができる。
【００７７】
上記構成により、汚れ成分の多い工場等の大きな空間を空気清浄し空気調和も同時に行い、かつ適正風量で空気清浄と空調和を実施することのできる空気清浄システムを提供できることになる。また、制御装置１２により送風装置５、６および閉塞装置１４および分配調整装置４および開閉機１８を制御し適正な運転をすることで長期渡り自動にて運転することのできる空気清浄システムを提供できることになる。
【００７８】
（実施の形態２）
図２は本発明の実施の形態２における空気清浄システムを示し、図２において吐出口９に接続する送風装置６は１台にて運転している。風量は送風装置６の風量調節と分岐部の分配装置であるダンパー４により必要風量に振り分けて運転できる。これにより空気清浄と空気調和を実施する送風装置は一台設置すればよく、設置面積が少なくてすみ、費用も少なくすることができるすることができる。
【００７９】
（実施の形態３）
図３は本発明の実施の形態３における空気清浄システム１を示し、図３において空気清浄システム１の吸込み口１９にホッパ２４を備えている。これにより空気清浄をする空間の汚れの濃度が濃い場合、吸込み口に備えたホッパ２４により粒子の大きい汚れ成分を取り去ることで空気清浄システムの容量を大きくすること無く空気清浄を実施できる空気清浄システムを提供できるようになる。
【産業上の利用可能性】
【００８０】
オイルミストやヒュームの発生量の多い工場等に使用することで、作業環境を悪化させるオイルミストやヒュームを除去することができる。また、空気清浄と空調装置が一体化しているので、スペースに余裕のないところにも設置可能である。非可燃物の粉塵や埃の多い作業場等に設置することでも同様に空気清浄と空気調和を一体で実施することができる。
【図面の簡単な説明】
【００８１】
【図１】本発明の実施例１の空気清浄システムを示す全体図
【図２】本発明の実施例２の空気清浄システムを示す全体図
【図３】本発明の実施例３の空気清浄システムを示す全体図
【図４】従来例の空気清浄システムを示す全体図
【符号の説明】
【００８２】
１    空気清浄装置
２    分岐部
３    空気調和装置
４    分配調整装置
５、６  送風装置
９    吐出口
１０  温度検出装置
１１  汚れ検出装置
１２  制御装置
１３  洗浄装置
１４  閉塞装置
１６  貯留装置
１７  バイパス風路
１８  開閉装置
１９  吸込み口
２０  空気清浄装置
２１  流路
２２  開閉装置
２３  圧力検出装置
【図１】
2008095982.tif 000003
【図２】
2008095982.tif 000004
【図３】
2008095982.tif 000005
【図４】
2008095982.tif 000006